(57)【要約】吸収性物品（例えば、乳児用おむつ、成人失禁用品、婦人衛生用品、乳児水泳用おむつ、食事用ナプキン、創傷用包帯）、及び有益成分送達物品（例えば、洗い布、乳児清拭用品、身体覆着品、ペットの手入れ用品、清掃及び研磨用品）を包含する使い捨て流体取扱物品を製造するための、方法及び装置を開示する。本発明は、ウェブ成形技術とウェブ転換技術とを組み合わせて、使い捨て流体取扱物品を作製する連続プロセスにすることができ、流体取扱物品の２つ以上の構成要素は、押し出されたポリマー物質から転換ライン上で成形される。従って、新規方法及び装置は、ウェブ生産業者から包装された形態、例えばロール巻きまたはフェストゥーン梱包箱の形態で輸送されてきた、布地、フィルム、発泡体、弾性体などの連続ウェブの必要性を低減または排除することができる。
2005504895.tif 000002
【特許請求の範囲】
【請求項１】
使い捨て流体取扱物品の製造方法であって、該使い捨て流体取扱物品は、バルク出発物質から連続的に作製される少なくとも２つの主要構成要素を含んでおり、該方法は次の諸工程を含む：
ａ）第１ポリマーバルク出発物質を少なくとも１つの第１ポリマー押出装置に送り込む工程であって、第１ポリマー押出装置は、該装置に対して第１速度で移動する第１捕集面に隣接して配置されている工程；
ｂ）第１ポリマー押出装置から第１ポリマー物質の第１溶融流を押し出す工程；
ｃ）第１溶融流から該使い捨て流体取扱物品の第１主要構成要素を連続的に成形する工程；
ｄ）第２ポリマーバルク出発物質を少なくとも１つの第２ポリマー押出装置に送り込む工程であって、第２ポリマー押出装置は、該装置に対して第２速度で移動する第２捕集面に隣接して配置される工程；
ｅ）第２ポリマー押出装置から第２ポリマー物質の第２溶融流を押し出す工程；
ｆ）第２溶融流から該使い捨て流体取扱物品の第２主要構成要素を連続的に成形する工程；
ｇ）第１及び第２主要構成要素を接合して複合ウェブにする工程であって、第１主要構成要素は、第２主要構成要素と少なくとも部分的に重なり合うようにする工程；並びに
ｈ）複合ウェブを機械方向にほぼ垂直な方向で切断して該使い捨て流体取扱物品を形成する工程。
【請求項２】
第１及び第２主要構成要素の少なくとも１つと接合する、前記使い捨て流体取扱物品の第３主要構成要素を提供する工程をさらに含む、請求項１に記載の方法。
【請求項３】
第３主要構成要素を提供する工程は、
（ｉ）第３ポリマー出発物質を少なくとも１つの第３ポリマー押出装置に送り込む工程であって、第３ポリマー押出装置は、該装置に対して第３速度で移動する第３捕集面に隣接して配置される工程；
（ii）第３ポリマー押出装置から第３ポリマー物質の第３溶融流を押し出す工程；並びに
（iii）第３溶融流から前記使い捨て流体取扱物品の第３構成要素を連続的に成形する工程；
を含む請求項２に記載の方法。
【請求項４】
第１及び第２主要構成要素の少なくとも１つと接合する、前記使い捨て流体取扱物品の少なくとも１つの補助構成要素を提供する工程をさらに含む、請求項１〜３のいずれか一項に記載の方法。
【請求項５】
少なくとも１つの補助構成要素を提供する工程は、
（ｉ）補助ポリマー出発物質を少なくとも１つの補助ポリマー押出装置に送り込む工程であって、補助ポリマー押出装置は、該装置に対して補助速度で移動する補助捕集面に隣接して配置されている工程；
（ii）補助ポリマー押出装置から補助ポリマー物質の補助溶融流を押し出す工程；並びに
（iii）補助溶融流から使い捨て流体取扱物品の補助構成要素を連続的に成形する工程；
を含む請求項４に記載の方法。
【請求項６】
第１ポリマー押出装置は、スパンボンド装置、メルトブローン装置、またはフィルム押出装置であり、第２ポリマー押出装置は、スパンボンド装置、メルトブローン装置、またはフィルム形成装置である、請求項１〜５のいずれか一項に記載の方法。
【請求項７】
第３ポリマー押出装置は、スパンボンド装置、メルトブローン装置、またはフィルム押出装置である、請求項３に記載の方法。
【請求項８】
前記補助ポリマー押出装置は、スパンボンド装置、メルトブローン装置、またはフィルム押出装置である、請求項５に記載の方法。
【請求項９】
第１溶融流は連続フィラメントを含む、請求項１〜８のいずれか一項に記載の方法。
【請求項１０】
第１主要構成要素は、
（ｉ）連続フィラメントを伸張してその断面直径を縮小させる工程；
（ii）連続フィラメントを冷却する工程；
（iii）連続フィラメントを第１捕集面上に堆積させる工程；並びに
（iv）連続フィラメントを結合させて連続フィラメント間の結合を形成する工程；
を含むプロセスによって連続フィラメントから連続的に形成される、請求項９に記載の方法。
【請求項１１】
第１溶融流がメルトブロー繊維を含む請求項１〜１０のいずれか一項に記載の方法。
【請求項１２】
第１主要構成要素は、
（ｉ）メルトブロー繊維を冷却する工程；
（ii）メルトブロー繊維を第１捕集面上に堆積させる工程；並びに
（iii）メルトブロー繊維を結合させてメルトブロー繊維間の結合を形成する工程；
を含むプロセスによってメルトブロー繊維から連続的に形成される、請求項１１に記載の方法。
【請求項１３】
第１溶融流はフィルムを含む、請求項１〜１２のいずれか一項に記載の方法。
【請求項１４】
前記使い捨て流体取扱物品は、乳児用おむつ、乳児用トレーニングパンツ、成人失禁用品、婦人衛生用品、乳児プール用おむつ、身体清拭用品、身体覆着品、創傷用包帯、食事用ナプキン、ペットの手入れ用品、清掃用品、及び研磨用品からなる群より選択される、請求項１〜１４のいずれか一項に記載の方法。
【請求項１５】
第１主要構成要素は、前記使い捨て流体取扱物品のトップシート、バックシート、またはコアである、請求項１〜１４のいずれか一項に記載の方法。
【請求項１６】
第２主要構成要素は、前記使い捨て流体取扱物品のトップシート、バックシート、またはコアである、請求項１〜１５のいずれか一項に記載の方法。
【請求項１７】
第３主要構成要素は、前記使い捨て流体取扱物品のトップシート、バックシート、またはコアである、請求項３に記載の方法。
【請求項１８】
補助構成要素は、前記使い捨て流体取扱物品のレッグカフ、ウエスト機構、または締結具である、請求項５に記載の方法。
【請求項１９】
第１捕集面の第１速度及び第２捕集面の第２速度が互いにほぼ等しい、請求項１〜１８のいずれか一項に記載の方法。
【請求項２０】
第１捕集面は、スクリーン、穿孔ベルト、織布ベルト、不織布ベルト、スパンボンドされたフィラメントの層、メルトブロー繊維の層、または多孔質フィルムであり、第２捕集面は、スクリーン、穿孔ベルト、織布ベルト、不織布ベルト、スパンボンドされたフィラメントの層、メルトブロー繊維の層、または多孔質フィルムである、請求項１〜１９のいずれか一項に記載の方法。
【請求項２１】
使い捨て流体取扱物品を生産する生産ラインであって、該使い捨て流体取扱物品は、バルク出発物質から連続的に作製される少なくとも２つの主要構成要素を含んでおり、該生産ラインは次を含む：
（ｉ）第１主要構成要素を提供する第１主要構成要素ステーションであって、該ステーションは、生産ライン上で連続的に第１主要構成要素を押出成形することによって、１つ以上の第１ポリマーバルク出発物質から第１主要構成要素を成形する少なくとも１つの第１押出モジュールを含むステーション；並びに
（ii）第１主要構成要素ステーションに隣接した、第２主要構成要素を提供する第２主要構成要素ステーションであって、該ステーションは、生産ライン上で連続的に第２主要構成要素を押出成形することによって、１つ以上の第２ポリマーバルク出発物質から第２主要構成要素を成形する少なくとも１つの第２押出モジュールを含むステーション。
【請求項２２】
第３主要構成要素を提供する第３主要構成要素ステーションをさらに含み、該ステーションは、生産ライン上で連続的に第３主要構成要素を押出成形することによって、１つ以上の第３ポリマーバルク出発物質から第３主要構成要素を成形する少なくとも１つの第３押出モジュールを含む、請求項２１に記載の生産ライン。
【請求項２３】
補助構成要素を提供する少なくとも１つの補助構成要素ステーションをさらに含み、該ステーションは、生産ライン上で連続的に補助構成要素を押出成形することによって、１つ以上の補助ポリマーバルク出発物質から少なくとも１つの補助構成要素を成形する少なくとも１つの補助押出モジュールを含む、請求項２１に記載の生産ライン。
【請求項２４】
第１押出モジュールは、スパンボンドモジュール、メルトブローンモジュール、またはフィルム形成モジュールであり、該第２押出モジュールは、スパンボンドステーション、メルトブローンステーション、またはフィルム形成ステーションである、請求項２１に記載の生産ライン。
【請求項２５】
第３押出モジュールは、スパンボンドモジュール、メルトブローンモジュール、またはフィルム形成モジュールである、請求項２２に記載の生産ライン。
【請求項２６】
少なくとも１つの前記補助押出モジュールが、スパンボンドモジュール、メルトブローンモジュール、またはフィルム形成モジュールである、請求項２３に記載の生産ライン。
【請求項２７】
スパンボンドモジュールは、
（ｉ）連続フィラメントを冷却する冷却装置；
（ii）連続フィラメントを伸張してその断面直径を縮小させる延伸装置；
（iii）連続フィラメントを堆積させる捕集面；及び
（iv）連続フィラメントを結合させて連続フィラメント間の結合を形成する結合装置；
を含む請求項２５に記載の生産ライン。
【請求項２８】
メルトブローンモジュールは、
（ｉ）メルトブロー繊維を冷却する冷却装置；
（ii）メルトブロー繊維を堆積させる捕集面；及び
（iii）メルトブロー繊維を結合させてメルトブロー繊維間の結合を形成する結合装置；
を含む請求項２５に記載の生産ライン。
【請求項２９】
前記使い捨て流体取扱物品は、乳児用おむつ、乳児用トレーニングパンツ、成人失禁用品、婦人衛生用品、乳児プール用おむつ、身体清拭用品、身体覆着品、創傷用包帯、食事用ナプキン、ペットの手入れ用品、清掃用品、及び研磨用品からなる群より選択される、請求項２１に記載の生産ライン。
【請求項３０】
第１主要構成要素は、前記使い捨て流体取扱物品のトップシート、バックシート、またはコアである、請求項２１に記載の生産ライン。
【請求項３１】
第２主要構成要素は、前記使い捨て流体取扱物品のトップシート、バックシート、またはコアである、請求項２１に記載の生産ライン。
【請求項３２】
第３主要構成要素は、前記使い捨て流体取扱物品のトップシート、バックシート、またはコアである、請求項２２に記載の生産ライン。
【請求項３３】
補助構成要素は、前記使い捨て流体取扱物品のレッグカフ、ウエスト機構、または締結具である、請求項２３に記載の生産ライン。
【請求項３４】
捕集面は、スクリーン、穿孔ベルト、織布ベルト、不織布ベルト、スパンボンドされたフィラメントの層、メルトブロー繊維の層、または多孔質フィルムである、請求項２７に記載の生産ライン。
【発明の詳細な説明】
【技術分野】
【０００１】
本発明は、吸収性物品（例えば、乳児用おむつ、成人失禁用品、婦人衛生用品、乳児水泳用おむつ、食事用ナプキン（dining bibs）、創傷用包帯）、及び有益成分送達物品（例えば、洗い布、身体清拭用品、身体覆着品（body wraps）、ペットの手入れ用品、清掃及び研磨用品）を包含する使い捨て流体取扱物品の製造に好適な装置及び方法に関する。
【背景技術】
【０００２】
使い捨て流体取扱物品は、しばしば、高速転換ライン上で、連続ウェブとして転換ラインに送り込むために、ウェブ生産業者から包装された形態で（例えばロール巻きまたはフェストゥーン梱包箱（festooned boxes））及び包装されずに（例えば巻かずにまたはフェストゥーン梱包なし（de-festooned））輸送された布地の連続ウェブ、被膜、発泡体、弾性体などを出発物質として使用して生産される。転換ラインにおいては、様々な転換操作によってウェブが使い捨て流体取扱物品の構成要素へと転換されており、それらは、最終的に接合されて複合ウェブになり、それが最後に切断されて個々の完成品になる。
【０００３】
残念なことに、連続ウェブの包装及び輸送には、いくつかの問題がある。第一に、包装及び輸送は、しばしば、ウェブ材料、とりわけ元の包装前の特性を保持する必要のあるウェブを不可逆的に変化させることがある。例えば、柔軟な嵩高のウェブが、ロール巻きの結果として連続的に平坦になり、あるいはフェストゥーン梱包（festooning）の結果として断続的に変形することがある。（ロールに巻かれる時には、ウェブは、ウェブをロールの形態に保持し、その後ウェブをロールから巻き戻す、その両方に必要なことが多い圧縮力に曝される。また、箱の中にフェストゥーン構成（festoon configuration）で包装すると、ウェブは、しばしば、曲げられ及び圧縮されることにより、フェストゥーン梱包されたウェブ（festooned web）の折れ曲がった部分で永久的なクリープを発生する。）第二に、ウェブには、しばしば特殊な強度特性を与える必要があり、それによってロール巻きまたはフェストゥーン梱包（festooning）に好適になる。これらの特性は、こうしたウェブに対して、最終製品の所望の特性に影響を及ぼし得るまたは所望の特性を脅かし得る、及び／またはウェブのコストを増加させ得る、特殊な添加剤を適用することによって達成されることが多い。ウェブを巻き戻す間に、次の層がくっつくのを防ぎまたはそれを最小限に抑えるために、ロールに巻き付ける前にウェブに静電気防止溶液を噴霧する場合、同様の好ましくない効果が起こることがある。第三に、ウェブは、しばしば、比較的高価な高速自動巻き付け及び巻き戻し機器と、それを操作及びサポートする能力のある作業者とを必要とする。第四に、しばしば、包装されたウェブによっては提供できない材料特性を、ウェブをより柔らかく、より薄く、より厚く、伸縮性があり、吸収性があり、布様の、通気性があり、見た目のよいものなどにするために特別に開発された転換操作によって提供する必要がある。これらの操作によって、新製品の開発におけるコスト及び時間がさらに増加する。
【発明の開示】
【発明が解決しようとする課題】
【０００４】
従って、材料成形工程から転換工程まで連続した新規プロセスを提供することによって、ウェブを包装して転換ラインに輸送する必要性を低減または排除することが有益である。また、包装されたウェブの場合には法外なコストのかかったまたは実現不可能であった新規製品を生産する機会を設ける、新規プロセスを提供することも有益である。
【課題を解決するための手段】
【０００５】
前述の難点及び問題を踏まえて、包装されたウェブの必要性を低減または排除することのできる、使い捨て流体取扱物品を生産する新規プロセス及び装置が見出されている。この新規プロセスは、ウェブを形成する工程と、ウェブを使い捨て流体取扱物品へと転換させる工程とを連結する、連続プロセスである。
【０００６】
１つの態様では、本発明は、バルク出発物質から連続的に作製された少なくとも２つの主要構成要素を含むことのできる使い捨て流体取扱物品を製造する方法に関する。その方法は、次の諸工程を含む：
ａ）第１ポリマーバルク出発物質を少なくとも１つの第１ポリマー押出装置に送り込む工程であって、第１ポリマー押出装置は、該装置に対して第１速度で移動する第１捕集面に隣接して配置されている工程；
ｂ）第１ポリマー押出装置から第１ポリマー物質の第１溶融流を押し出す工程；
ｃ）第１溶融流から該使い捨て流体取扱物品の第１主要構成要素を連続的に成形する工程；
ｄ）第２ポリマーバルク出発物質を少なくとも１つの第２ポリマー押出装置に送り込む工程であって、第２ポリマー押出装置は、該装置に対して第２速度で移動する第２捕集面に隣接して配置されている工程；
ｅ）第２ポリマー押出装置から第２ポリマー物質の第２溶融流を押し出す工程；
ｆ）第２溶融流から該使い捨て流体取扱物品の第２主要構成要素を連続的に成形する工程；
ｇ）第１及び第２主要構成要素を接合して複合ウェブにする工程であって、第１主要構成要素は、第２主要構成要素と少なくとも部分的に重なり合うようにする工程；並びに
ｈ）複合ウェブを機械方向にほぼ垂直な方向で切断して該使い捨て流体取扱物品を形成する工程。
【０００７】
もう１つの態様では、本発明は、バルク出発物質から連続的に作製された少なくとも２つの主要構成要素を含むことのできる使い捨て流体取扱物品を生産する生産ラインである装置に関する。その生産ラインは、次を含む：
（ａ）第１主要構成要素を提供する第１主要構成要素ステーションであって、該ステーションは、生産ライン上で連続的に第１主要構成要素を押出成形することによって、１つ以上の第１ポリマーバルク出発物質から第１主要構成要素を成形する少なくとも１つの第１押出モジュールを含むステーション；並びに
（ｂ）第１主要構成要素ステーションに隣接した、第２主要構成要素を提供する第２主要構成要素ステーションであって、該ステーションは、生産ライン上で連続的に第２主要構成要素を押出成形することによって、１つ以上の第２ポリマーバルク出発物質から第２主要構成要素を成形する少なくとも１つの第２押出モジュールを含むステーション。
【発明を実施するための最良の形態】
【０００８】
本明細書は、本発明と見なされる主題を特に指摘し明確に請求する特許請求の範囲をもって結論とするが、本発明は、添付の図面と関連させた次の説明からさらによく理解されると考えられる。
【０００９】
本発明の方法及び装置は、ウェブを包装し、ウェブをウェブ生産設備から使い捨て流体取扱物品を生産するウェブ転換設備まで輸送する必要性を低減または排除することができる。本発明は、ウェブ成形技術とウェブ転換技術とを組み合わせて、使い捨て流体取扱物品を作製する連続プロセスにすることができ、この流体取扱物品の２つ以上の構成要素は、押し出されたポリマー物質から転換ライン上で成形される。
【００１０】
（専門用語）
「ウェブ生産設備」は、本明細書では、ロール巻きまたはフェストゥーン梱包容器（festooned containers）として輸送用に包装された連続ウェブを生産する生産設備を指す。
【００１１】
「転換設備」は、本明細書では、消費者による使用に完成した最終的な使い捨て流体取扱物品を生産する、または最終的な使い捨て流体取扱物品へと組み立てることが意図された使い捨て流体取扱物品の１つ以上の構成要素を生産する、いかなる生産設備を指す。
【００１２】
用語「使い捨て流体取扱物品」は、本明細書では、使い捨て吸収性物品及び使い捨て有益成分送達物品の両方を指す。
【００１３】
「使い捨て吸収性物品」は、本明細書では、通常、流体を吸収及び保持するデバイスを指す。この言葉は、ある場合には、身体から排出された排泄物及び／または滲出物を吸収し封じ込めるために着用者の身体に当ててまたは身体の近傍に置かれるデバイスを指しており、これには、乳児用おむつ、乳児用トレーニングパンツ、成人失禁用品、婦人衛生用品、乳児水泳用おむつ、創傷用包帯等のようなパーソナルケア物品が含まれる。他の場合には、この言葉は、保護物品、例えば食品を吸収して着用者の衣類に染みが付くのを防ぐ能力を有する食事用ナプキン等を指す。
【００１４】
「使い捨て有益成分送達物品」は、本明細書では、物品が意図された用途で消費者に利用される時まで有益成分を保持できるデバイスを指す。有益成分には、例えば、ローション、シャンプー、石鹸、研磨物質、洗浄物質等を含むことができ、このようなデバイスには、洗い布、身体清拭用品、身体覆着品、ペットの手入れ用品、清掃及び研磨用品等を含むことができる。
【００１５】
用語「使い捨て」は、本明細書では、一般に洗濯を意図されていない製品、あるいは元通りに回復されるまたは元来の機能で広く再利用される製品を説明するために使用されており、すなわち、好ましくは、それらの製品は、約１０回使用後または約５回使用後に、あるいは約１回のみの使用後廃棄することが意図されている。そのような使い捨て物品は、リサイクルされ、堆肥化され、あるいは環境に適合した方式で処分されることが好ましい。
【００１６】
用語「おむつ」は、乳児用おむつ、乳児用トレーニングパンツ、乳児プール用おむつ、または成人失禁用品を包含し、一般に、乳幼児及び他の失禁患者によって胴体下部の周りに着用される使い捨て流体取扱物品を指す。
【００１７】
用語「婦人衛生用品」は、本明細書では、経血及び他の膣滲出物を吸収し封じ込めるために女性によって着用される、いかなる流体取扱物品をも指す。
【００１８】
「身体覆着品」は、本明細書では、通常は何らかの治療的効果、例えば鎮痛、創傷の被覆を提供するために、または身体付近の別のデバイスまたは物品を支えるために、身体の周りに着用される物品または衣類を指す。
【００１９】
用語「ウェブ」は、本明細書では、いずれかの連続材料を意味しており、これには、単層または多層を有する、フィルム、不織布地、発泡体またはこれらの組み合わせ、または木材パルプ等を包含するドライラップ材料が含まれる。
【００２０】
用語「不織布地」、「不織布材料」、「不織布ウェブ」または「不織布」は、本明細書では、スパンボンド及びメルトブローンのようなプロセスによって、織らずにまたは編まずに、連続フィラメント及び／または不連続繊維から作製される材料を指す。不織布材料は、不織布材料の１つ以上の層を含むことができ、各層は、連続フィラメントまたは不連続繊維を含むことができる。
【００２１】
用語「発泡体」は、本明細書では、固体、液体の結晶、または液体の連続相及びガス状の分散相を含むいずれかの物質を指す。ガス状の分散相があるので、発泡体の密度は、連続相の密度よりも小さい。
【００２２】
用語「フィルム」は、本明細書では、金型の細い隙間を通してポリマー物質を押し出すことを包含するプロセスによって作製される、いかなるポリマーフィルムをも指す。ポリマーフィルムは、液体不透過性及び気相透過性であり得る。
【００２３】
「エラストマー」は、本明細書では、弾性体の特性を示すポリマーを指す。
【００２４】
用語「弾性体」は、本明細書では、弛緩した状態の初期の長さに力を加えると、破裂及び破断せずに伸長された長さへと、伸張または伸長することができ、加えられた力を解放すると初期の長さにほぼ回復することのできる、いずれかの物質を指す。
【００２５】
用語「ポリマー」または「ポリマーの」は、本明細書では、熱硬化性及び熱可塑性のポリマー及びポリマー組成物を指し、それには、ポリオレフィン類（ポリエチレン及びポリプロピレンなど）、ポリエステル類、ポリアミド類、ポリウレタン類、超吸収性材料、レーヨン、ケブラー（Kevlar）、並びにこれらのブレンド及びコポリマー、２要素または２成分混合物等が挙げられるが、これらに限定されない。また、ポリマー物質には、所望の色及び／または視覚的効果を提供するために様々な顔料を含むこともできる。
【００２６】
「天然物質」は、本明細書では、植物、動物、昆虫由来の物質、あるいは植物、動物、昆虫の副産物由来の物質を指す。使い捨て物品において有用な天然物質の非限定例には、セルロース繊維、綿繊維、ケラチン繊維、絹繊維等が挙げられる。セルロース繊維の非限定例には、木材パルプ繊維、麻繊維、黄麻繊維等が挙げられる。ケラチン繊維の非限定例には、羊毛繊維、ラクダの毛の繊維等が挙げられる。
【００２７】
「ポリマー押出装置」は、本明細書では、金型の１つ以上のオリフィスまたは隙間を通してポリマー物質の溶融流を押し出すことのできるいかなる機械をも指す。
【００２８】
用語「押し出す」または「押出」は、本明細書では、加熱されたポリマーが金型の１つ以上のオリフィスまたは隙間を通って溶融流を形成するプロセスを指す。
【００２９】
用語「使い捨て吸収性物品の構成要素の成形」は、本明細書では、使い捨て流体取扱物品の主要構成要素または補助構成要素が、１つ以上の層のポリマー物質を押出成形することによってポリマーバルク出発物質から連続的に生産される連続プロセスを指す。
【００３０】
用語「使い捨て流体取扱物品の構成要素の連続成形」は、本明細書では、使い捨て流体取扱物品の主要構成要素及び／または補助構成要素が、溶融流として押し出すポリマー押出装置へと、ポリマーバルク出発物質の形態で送り込まれたポリマー物質の溶融流から連続的につくり出される連続プロセスを指す。
【００３１】
用語「連続プロセス」は、本明細書では、ポリマー物質の少なくとも１つの溶融流が、ほぼ使い捨て流体取扱物品の主要及び／または補助構成要素へと成形されるプロセスであって、この少なくとも１つの溶融流が、いずれかの包装されたウェブ、例えばロール巻きまたはフェストゥーン梱包箱には成形されないプロセスを指す。
【００３２】
用語「ポリマーバルク出発物質」は、本明細書では、使い捨て流体取扱物品の生産または使い捨て流体取扱物品の構成要素の生産において使用するのに好適ないかなる物質をも指し、その物質はポリマーであり、１種以上のポリマー物質の固体、半固体、または溶液を包含するバルク形態で提供される。固体形態の場合、ポリマーバルク出発物質は、小球、顆粒、または粒子として供給することができる。
【００３３】
用語「バルク出発物質」は、本明細書では、ポリマーバルク出発物質、並びに、木材パルプ、天然繊維等のような非ポリマーバルク出発物質を指す。
【００３４】
「スパンボンド装置」は、本明細書では、ポリマー物質の溶融流を連続フィラメントの形態で生産できる機械を指す。
【００３５】
用語「連続フィラメント」は、本明細書では、金型の多数の小さなオリフィスを通して押し出されたポリマー物質のほぼ無限に続く糸を指す。
【００３６】
用語「メルトブローン装置」は、本明細書では、ポリマー物質の溶融流を不連続繊維の形態で生産できる機械を指す。
【００３７】
用語「不連続繊維」または「メルトブロー繊維」は、本明細書では、普通は高温のガス（通常は空気）流によって１つ以上の連続フィラメントを断片化することによって生産され、約５ｍｍ〜約５００ｍｍの範囲の長さ及び約２０ミクロン未満の直径を有する、限られた長さのポリマー物質の糸を指す。
【００３８】
用語「フィルム形成装置」は、本明細書では、ポリマー物質の溶融流をフィルムの形態で生産できる機械を指す。
【００３９】
用語「溶融流」は、本明細書では、溶融流を使い捨て流体取扱物品の構成要素へと成形するポリマー押出装置から出てくる、ポリマー物質の連続フィラメント、不連続繊維、または連続フィルムの１つ以上の流れを指す。本明細書では、用語「溶融流」には、使い捨て流体取扱物品の層または構成要素を接着結合させる目的で通常使用されるあらゆる溶融接着剤のいかなる流れをも含まれないことに留意すべきである。
【００４０】
用語「接合された」は、本明細書では、使い捨て流体取扱物品の構成要素が使い捨て流体取扱物品の別の構成要素に直接または間接的に（１つ以上の中間部材によって）固定されている構成を包含する。固定手段には、当該技術分野において既知のいずれかの手段、例えば、接着剤、熱結合、圧力結合、超音波結合等が含まれ得る。
【００４１】
（代表的な流体取扱物品）
本発明のプロセス及び装置によって生産できる使い捨て流体取扱物品の一例を、図１及び図２に示す。図１では、おむつ１００が平たく広げた状態での平面図で示されており、おむつ１００の着用者対向側１０２が手前に向けられている。図２は、おむつ１００の積層構造の断面図を示す。
【００４２】
おむつ１００の積層構造には、３つの主要構成要素、すなわち、液体透過性トップシート１０４、トップシート１０４の反対側にある液体不透過性バックシート１０６、並びにトップシート１０４とバックシート１０６の少なくとも一部分との間に位置決めされた吸収性コア１０８が含まれる。これらの主要構成要素は、流体を吸収及び保持するという吸収性物品の主要な機能を提供し、さらに通常、特定の使い捨て物品のサイズ、形状、及び周囲を画定する。おむつ１００には、さらに３つの補助構成要素、すなわち、弾性材のストランド１１６を有するレッグカフ１１０、ウエスト機構１１２、及び締結具１１４が含まれる。補助構成要素は、普通、主要構成要素の機能を補う機能を提供し、例えば、レッグカフは、着用者の脚周りの漏れ防止を改善し、ウエストバンドは、着用者周りのおむつの適合性を改善し、締結具は、おむつを着用者周りで保持する。主要及び補助構成要素を含めた構成要素の数は、特定の製品設計に応じて変えることができるということに留意すべきである。
【００４３】
（生産ライン）
図３は、使い捨て流体取扱物品、特に図１及び図２に示したおむつ１００を生産する、本発明の生産ライン２００の１つの実施形態における、ブロック図の形態をした概略立面図である。生産ライン２００は、生産される使い捨て流体取扱物品の複雑さに応じて、いかなる数のステーションを含むこともでき、各ステーションは、使い捨て流体取扱物品の特定の構成要素を提供することができ、これらが他の構成要素と接合されて最終的な製品になる。それに加え、ステーションの順序は、生産される使い捨て流体取扱物品の種類、その特定の設計、並びに他の多くのプロセス及び生産上の考慮事項に応じて変えることができる。さらに、生産ライン２００は、生産現場においてステーションのいかなる好適な構成を形成するようにも配列することができる。例えば、図１では、生産ライン２００は、ステーションの直線的な構成を有するものとして示されているが、その構成は、曲線状、円形、Ｕ字形、Ｃ字形、Ｘ字形、十字形、またはこれらのいずれかの組み合わせにすることができる。さらに、いくつかの生産ライン２００を互いに対していかなる好適な関係において設置し、生産現場においていかなる好適な配置を形成することもできる。
【００４４】
６つの構成要素を有する代表的なおむつ１００を生産する場合、生産ライン２００には、３つの主要構成要素ステーション及び３つの補助構成要素ステーションを含む、６つの構成要素ステーションを有することができる。主要構成要素ステーションには、おむつ１００の３つの主要構成要素であるバックシート１０６、コア１０８、及びトップシート１０４をそれぞれ提供する、バックシートステーション２０２、コアステーション２０４、及びトップシートステーション２０６が含まれる。補助構成要素ステーションには、おむつ１４０の３つの補助構成要素であるレッグカフ１１０、ウエスト機構１１２、及び締結具１１４をそれぞれ提供する、レッグカフステーション２０８、ウエスト機構ステーション２１０、及び締結具ステーション２１２が含まれる。
【００４５】
図３に示すように、提供された各構成要素は、移動表面上に堆積される。バックシート１０６は、運搬表面になることのできる移動表面２１４上に堆積され、残りの構成要素が相互にその上に堆積され、接合されて複合ウェブ２２０を形成する。次いで、複合ウェブ２２０は、最終ナイフ２２２によって切断されて個々のおむつ１００になる。その後、おむつ１００を包装操作部２２４で包装して、いかなる好適な数のおむつが入ったいかなる好適なサイズ及び形状の包装にすることができる。
【００４６】
生産ライン２００の主要構成要素ステーション２０２、２０４、及び２０６のいずれか、または補助構成要素ステーション２０８、２１０、及び２１２のいずれかに、使い捨て流体取扱物品の構成要素を押し出して連続成形することのできる、１つ以上の押出装置を含むことができる。押出装置には、連続フィラメントを提供するスパンボンドモジュール、及び／または不連続繊維を提供するメルトブローンモジュール、及び／または連続フィルムを提供するフィルム形成モジュールを含むことができる。
【００４７】
図４、図５、及び図６は、それぞれ、スパンボンドモジュール３００、メルトブローンモジュール４００、及びフィルムモジュール５００を示す。各押出モジュール３００、４００、及び５００には、ポリマーバルク出発物質３０６を捕集するホッパー３０４、ポリマーバルク出発物質３０６を溶融させて溶融物３１０にする押出成形機３０８、及び溶融物３１０の一様な流れをつくり出すポンプ３１２を含むことができる。（ポリマーバルク出発物質３０６を、シュートまたはパイプを含むがこれらに限定されない、いかなる好適な従来の材料送りシステムによって押出成形機３０８に供給できる場合には、押出モジュール３００、４００、及び５００がホッパー３０４を含む必要がないことに留意すべきである。）
各押出モジュール３００、４００、及び５００には、さらに、溶融物３１０を溶融流として押し出すポリマー押出装置３２０を含むことができる。ポリマー押出装置３２０は、スパンボンド装置３５０（図４参照）、メルトブローン装置４５０（図５参照）、またはフィルム形成装置５５０（図６参照）であり得る。
【００４８】
図４を参照すると、スパンボンドモジュール３００は、溶融流３２２を、スパンボンド装置３５０の金型３２６を通して連続フィラメント３２４の形態で押し出す。スパンボンドモジュール３００には、さらに、連続フィラメント３２４を冷却する冷却デバイス３３０と、連続フィラメント３２４を伸張させてその断面直径を縮小させる延伸デバイス３３２と、連続フィラメント３２４を堆積させて連続フィラメント３２４の層３４０を形成する移動捕集面３３４と、連続フィラメントの熱結合、接着結合、または絡合によって、連続フィラメント３２４間の結合をつくり出して連続フィラメント３２４の密着層３４４を形成する結合装置３４２、とを含むことができる。
【００４９】
隣接するフィラメント間の熱的融合または接着結合を形成するのに、フィラメントが十分に高温でない場合、圧力を加えることによってまたは熱と圧力を加えることによって、連続フィラメント３２４の結合を促進させることができる。圧力適用装置には、隣接するフィラメントを密接に接触させる接触または非接触手段を含むことができる。接触手段には、平滑表面または非平滑表面を有する、加熱されたまたは非加熱の圧密化またはカレンダー加工ロールを含むことができる。非接触手段には、圧縮ガス及び／または真空を含め、様々な差圧技術を含むことができる。連続フィラメント３２４は、次の１つ以上の方法によって所望の配向で捕集面３３４上に降ろすことができ、それには、押出成形金型３２６を回転させることによる方法、電荷による方法、制御された流体の流れによる方法、及び連続フィラメント３２４を捕集する捕集面３３４の進行速度Ｖ１による方法が挙げられるが、これらに限定されない。
【００５０】
捕集面３３４は、真空の支援によってまたは真空の支援なしに、吹き込まれたガスを少なくとも部分的にそこから逃がす開口部を有することができる。捕集面３３４には、スクリーン、穿孔ベルト、織布ベルト、不織布ベルト、スパンボンドされたフィラメントの層、メルトブローフィラメントの層、多孔質フィルム、またはこれらのいずれかの組み合わせを含むことができる。捕集面の、ポリマー物質の溶融流の方を向く側部は、いずれかの好適な形状、例えば、平坦な形、丸形、凹形、凸形を有することができる。この側部は、突起または突出部、空洞または陥凹部、あるいはこれらのいずれかの組み合わせを有し得る。捕集面の開口部は、吹き込まれたガスを少なくとも部分的にそこから逃がすがフィラメントは出て行かないようにするのに好適な開口領域を提供する、いかなるサイズ及び形状にすることもできる。
【００５１】
スパンボンドモジュール３００は、不織布材料の生産において通常使用され、例えば、アッソン・エンジニアリング（Asson Engineering Inc.，３３３０１フロリダ州）、ヒルズ（Hills、３２９０４フロリダ州）、レイフェンハウザー（Reifenhauser、ドイツ）、ＪＭラボラトリーズ（３０５３４ジョージア州ノードソン）、及び神戸製鋼（Kobelco、日本）のような供給元によって生産される、いかなる好適な市販のハードウェアを使用して製造することができる。
【００５２】
図５を参照すると、ポリマー押出装置３２０は、メルトブローンモジュール４００のメルトブローン装置４５０である。メルトブローン装置４５０は、加圧された高温ガス（通常は空気）によって溶融物を断片化させることにより、溶融流４５６を不連続繊維４５８の形態で押し出すことができる。
【００５３】
また、メルトブローンモジュール４００には、冷却された繊維４５８を移動捕集面４６２上に堆積させてメルトブロー繊維４５８の層４６４を形成する前に不連続なメルトブロー繊維４５８を冷却する冷却デバイス４６０も含むことができる。メルトブローンモジュール４００の捕集面４６２は、全てまたはいずれかの態様において、詳細に前述したスパンボンドモジュール３００の捕集面３３４と同様にすることができる。
【００５４】
メルトブローンモジュール４００は、さらに、メルトブロー繊維４５８の熱結合、接着結合、または絡合によって、メルトブロー繊維４５８間の結合をつくり出して密着層４６８を形成する結合装置４６６を含むこともできる。メルトブローンモジュール４００の結合装置４６６は、全てまたはいずれかの態様において、詳細に前述したスパンボンドモジュール３００の結合装置３４２と同様にすることができる。
【００５５】
メルトブローンモジュール４００は、不織布材料の生産において通常使用され、例えば、アッソン・エンジニアリング（Asson Engineering Inc.，３３３０１フロリダ州）、ヒルズ（Hills、３２９０４フロリダ州）、レイフェンハウザー（Reifenhauser、ドイツ）、ＪＭラボラトリーズ（３０５３４ジョージア州ノードソン）、及び神戸製鋼（Kobelco、日本）のような供給元によって生産される、いかなる好適な市販のハードウェアを使用して製造することができる。
【００５６】
図６を参照すると、ポリマー押出装置３２０は、フィルム形成モジュール５００のフィルム押出装置５５０である。フィルム押出装置５５０には、溶融流５０６をフィルムの形態で押し出す隙間を有する押出成形金型５０４を含むことができる。フィルム形成モジュール５００には、さらに、フィルム５１２を移動捕集面５１４上に堆積させる前に、溶融流５０６を冷却する冷却デバイス５０８と、冷却された溶融流５０６を所望の厚さのフィルム５１２に成形する鋳造デバイス５１０とを含むことができる。フィルム形成モジュール５００の捕集面５１４は、全てまたはいずれかの態様において、詳細に前述したスパンボンドモジュール３００の捕集面３３４と同様にすることができる。フィルム形成モジュール５００は、不織布材料の生産において通常使用され、例えば、アッソン・エンジニアリング（Asson Engineering Inc.，３３３０１フロリダ州）、ヒルズ（Hills、３２９０４フロリダ州）、レイフェンハウザー（Reifenhauser、ドイツ）、ＪＭラボラトリーズ（３０５３４ジョージア州ノードソン）、及び神戸製鋼（Kobelco、日本）のような供給元によって生産される、いかなる好適な市販のハードウェアを使用して製造することができる。
【００５７】
（バックシートステーション）
図３に示す生産ライン２００のバックシートステーション２０２には、１つ以上のスパンボンドモジュール３００（図４参照）及び／または１つ以上のメルトブローンモジュール４００（図５参照）及び／または１つ以上のフィルム形成モジュール５００（図６参照）を含むことができる。モジュール３００、４００、及び５００は、いずれかの好適な組み合わせで生産ライン２００上に設置することができる。図７〜図１４は、図１〜図２に示すおむつ１００のバックシート１０６を生産するバックシートステーション２０２の代表的な非限定的実施形態を示す。図７は、１つのスパンボンドモジュール３００を有するバックシートステーション２０２Ａを示し；図８は、１つのメルトブローンモジュール４００を有するバックシートステーション２０２Ｂを示し；図９は、１つのフィルム形成モジュール５００を有するバックシートステーション２０２Ｃを示し；図１０は、１つのスパンボンドモジュール３００と１つのフィルム形成モジュール５００とを有するバックシートステーション２００Ｄを示し；図１１は、１つのメルトブローンモジュール４００と１つのフィルム形成モジュール５００とを有するバックシートステーション２００Ｅを示し；図１２は、１つのスパンボンドモジュール３００と１つのメルトブローンモジュール４００とを有するバックシートステーション２００Ｆを示し；図１３は、１つのスパンボンドモジュール３００と２つのメルトブローンモジュール４００とを有するバックシートステーション２００Ｇを示し；図１４は、２つのスパンボンドモジュール３００と２つのメルトブローンモジュール４００とを有するバックシートステーション２００Ｈを示す。
【００５８】
他の場合には、バックシート１０６は、いずれかの好適な包装形態、例えばロール巻きまたはフェストゥーン梱包容器で生産ライン２００に供給された好適なバックシート材料を送り込むことのできる、バックシート送りモジュールによって提供することができる。トップシート送りモジュールは、材料の連続形態を送り込むための転換操作において通常使用される、いかなる好適なハードウェアをも用いることができる。
【００５９】
（コアステーション）
図３に示す生産ライン２００のコアステーション２０４には、１つ以上のスパンボンドモジュール３００（図４参照）及び／または１つ以上のメルトブローンモジュール４００（図５参照）及び／または１つ以上のフィルム形成モジュール５００（図６参照）を含むことができる。モジュール３００、４００、及び５００は、いずれかの好適な組み合わせで生産ライン２００上に設置することができる。モジュール３００、４００、及び５００は、押出成形して連続フィラメント及び／または不連続繊維の１つ以上の層にすることのできる、いかなる好適な非吸収性及び／または吸収性（または超吸収性）ポリマー物質をも使用することができる。
【００６０】
図１５は、吸収性ポリマー物質の連続フィラメントを提供する１つのスパンボンドモジュール３００を有するコアモジュール２０４Ａを示す。同様に、図１６は、吸収性ポリマー物質の不連続繊維を提供するために１つのメルトブローンモジュール４００を有するコアモジュール２０４Ｂを示す。
【００６１】
また、コアステーション２０４には、超吸収性粒子を含むおむつ１００のコア１０８を形成するために、例えば図１７〜図１９に示すような、超吸収性粒子６０２を分配する１つ以上の粒子送りモジュール６００も含むことができる。粒子送りモジュール６００には、超吸収性粒子６０２を捕集するホッパー６０４と、粒子６０２の一様な流れをつくり出す計量デバイス６０６とを含むことができる。（ただし、粒子６０４を、シュートまたはパイプを含むがこれらに限定されない、いずれかの好適な材料送りシステムによって計量デバイス６０６に供給できる時には、粒子送りモジュール６００がホッパー６０４を含む必要がないことに留意すべきである。）粒子送りモジュール６００は、いずれかの好適な市販のハードウェアを用いて製造することができ、例えばホッパー６０４及び送り込みデバイス６０６は、アクリソン・コーポレーション（Acrison Corporation）の代表的な製品である。
【００６２】
またコアステーション２０４には、例えば図１９に示すように、おむつ１００のコア１０８の特定の実施形態において使用すべき生産ライン２００に包装形態（例えばロールまたはフェストゥーン梱包箱）で供給されたいずれかの好適なウェブ材料を提供する、ウェブ送りモジュール７００も含むことができる。さらに、コアステーション２０４には、おむつ１００のコア１０８の特定の実施形態において使用される生産ライン２００にいかなる好適な包装形態で供給されたいかなる好適な別個のシートをも提供する、シート送りモジュール８００も含むことができる。
【００６３】
他の場合には、おむつ１００のコア１０８は、別個のコアとしてまたはコアを含む連続ウェブとして事前製作及び包装され、さらに例えばロール巻きまたはフェストゥーン梱包容器として包装された、生産ライン２００に供給されたコア１０８を送り込むことのできる、コア送りモジュールによって提供し得る。コア送りモジュールは、転換操作において通常使用される、材料の別個のまたは連続形態を送り込むいかなる好適なハードウェアを用いることができる。
【００６４】
（トップシートステーション）
図３に示す生産ライン２００のトップシートステーション２０６には、１つ以上のスパンボンドモジュール３００（図４参照）及び／または１つ以上のメルトブローンモジュール４００（図５参照）及び／または１つ以上のフィルム形成モジュール５００（図６参照）を含むことができる。図２０〜図２３は、図１〜図２に示すおむつ１００のトップシート１０４を生産するトップシートステーション２０６の代表的な非限定的実施形態を示す。図２０は、１つのスパンボンドモジュール３００を有するトップシートステーション２０６Ａを示し；図２１は、１つのメルトブローンモジュール４００を有するトップシートステーション２０６Ａを示し；図２２は、１つのスパンボンドモジュール３００と１つのメルトブローンモジュール４００とを有するトップシートステーション２０６Ｃを示し；図２３は、２つのスパンボンドモジュール３００と２つのメルトブローンモジュール４００とを有するトップシートステーション２０６Ｄを示す。
【００６５】
また、任意選択的に、トップシートステーション２０６には、所望する場合、弾性ストランドを含む弾性のあるトップシートを形成するために、例えば図２４に示すように、弾性材の連続ストランド９０２の１つ以上を送り込む１つ以上のエラストマー送りモジュール９００も含むことができる。エラストマー送りモジュール９００は、転換操作において通常使用される、弾性ストランドを送り込むためにいずれかの好適なハードウェアを用いることができる。モジュール３００、４００、５００、及び９００は、いずれかの好適な組み合わせで生産ライン２００上に設置することができる。
【００６６】
他の場合には、トップシート１０４は、いずれかの連続形態、例えばロール巻きまたはフェストゥーン梱包容器などで生産ライン２００に供給された好適なトップシート材料を送り込むことのできる、トップシート送りモジュールによって提供し得る。トップシート送りモジュールは、転換操作において通常使用される、材料の連続形態を送り込むためのいかなる好適なハードウェアを用いることができる。
【００６７】
（レッグカフステーション）
図３に示す生産ライン２００のレッグカフステーション２０８には、１つ以上のスパンボンドモジュール３００（図４参照）及び／または１つ以上のメルトブローンモジュール４００（図５参照）及び／または１つ以上のフィルム形成モジュール５００を含むことができる。また、レッグカフステーション２０８は、前述の１つ以上のエラストマー送りモジュール９００を含み得る。モジュール３００、４００、５００、及び９００は、いずれかの好適な組み合わせで生産ライン２００上に設置することができる。
【００６８】
図２５〜図２７は、図１〜図２に示すおむつ１００の弾性体１１６を備えたレッグカフ１１０を生産するレッグカフステーション２０８の代表的な非限定的実施形態を示す。図２５は、１つのスパンボンドモジュール３００と、弾性材の連続ストランド１１６を送り込む１つのエラストマー送りモジュール９００とを有する、レッグカフステーション２０８Ａを示し；図２６は、１つのメルトブローンモジュール４００と１つのエラストマー送りモジュール９００とを有するレッグカフステーション２０８Ｂを示し；図２７は、２つのスパンボンドモジュール３００と２つのメルトブローンモジュール４００と１つのエラストマー送りモジュール９００とを有する弾性レッグモジュール２０８Ｃを示す。
【００６９】
他の場合には、レッグカフ１１０は、いずれかの連続形態、例えばロール巻きまたはフェストゥーン梱包容器などに事前製作された生産ライン２００に供給されたレッグカフ１１０を送り込むことのできる、レッグカフ送りモジュールによって用意することができる。レッグカフ送りモジュールは、転換操作において通常使用される、材料の連続形態を送り込むためのいかなる好適なハードウェアをも用いることができる。
【００７０】
（ウエスト機構ステーション）
図１及び図２のおむつ１００のウエスト機構１１２は、ウエストモジュール２１０によって提供することができ、これには、スパンボンドモジュール３００（図４参照）及び／またはメルトブローンモジュール４００（図５参照）及び／またはフィルム形成モジュール５００（図６参照）及び／またはエラストマー送りモジュール９００のいずれかの組み合わせを含むことができる。他の場合には、ウエスト機構１１２は、いずれかの連続形態、例えばロール巻きまたはフェストゥーン梱包容器などで生産ライン２００に供給されたウエスト機構１１２を送り込むことのできる、ウエスト送りモジュールによって提供することができる。ウエスト機構送りモジュールは、転換操作において通常使用される、材料の連続形態を送り込むためのいかなる好適なハードウェアをも用いることができる。
【００７１】
（締結具ステーション）
図１及び図２のおむつ１００の締結具１１４は、締結具モジュール２１２によって提供することができ、これには、スパンボンドモジュール３００（図４参照）及び／またはメルトブローンモジュール４００（図５参照）及び／またはフィルム形成モジュール５００（図６参照）のいずれかの組み合わせを含むことができる。他の場合には、締結具１１４は、いずれかの連続形態、例えばロール巻きまたはフェストゥーン梱包容器などで生産ライン２００に供給された締結具１１４を送り込むことのできる、締結具送りモジュールによって提供することができる。締結具送りモジュールは、転換操作において通常使用される、材料の連続形態を送り込むためのいかなる好適なハードウェアをも用いることができる。
【００７２】
本発明の特定の実施形態及び／または個々の特徴について図示し説明したが、本発明の精神及び範囲から逸脱することなく、他の様々な変更及び修正を実施できることが当業者には明白であろう。さらに、このような実施形態及び特徴の全ての組み合わせが可能であり、またこれにより本発明を好ましく実施できることも明らかである。従って、添付の請求項は、本発明の範囲内にあるこのような全ての変更及び修正を含むことが意図されている。
【図面の簡単な説明】
【００７３】
【図１】本発明の方法及び装置によって生産できる代表的なおむつの平面図であり、おむつが平たく広げた状態で示され、おむつの着用者対向側が手前に向けられており、おむつの構造を、より明瞭に示すためにおむつの構造の一部分が切り取られている。
【図２】図１のおむつの切断線２−２に沿った断面図である。
【図３】図１〜図２に示す代表的なおむつを生産することのできる本発明の使い捨て流体取扱物品生産ラインの１つの実施形態における、ブロック図の形態をした概略立面図である。
【図４】スパンボンドモジュールの概略立面図である。
【図５】メルトブローンモジュールの概略立面図である。
【図６】フィルム形成モジュールの概略立面図である。
【図７】本発明のバックシートステーションの１つの実施形態における概略立面図である。
【図８】本発明のバックシートステーションのもう１つの実施形態における概略立面図である。
【図９】本発明のバックシートステーションのもう１つの実施形態における概略立面図である。
【図１０】本発明のバックシートステーションのもう１つの実施形態における概略立面図である。
【図１１】本発明のバックシートステーションのもう１つの実施形態における概略立面図である。
【図１２】本発明のバックシートステーションのもう１つの実施形態における概略立面図である。
【図１３】本発明のバックシートステーションのもう１つの実施形態における概略立面図である。
【図１４】本発明のバックシートステーションのもう１つの実施形態における概略立面図である。
【図１５】本発明のコアステーションの１つの実施形態における概略立面図である。
【図１６】本発明のコアステーションのもう１つの実施形態における概略立面図である。
【図１７】本発明のコアステーションのもう１つの実施形態における概略立面図である。
【図１８】本発明のコアステーションのもう１つの実施形態における概略立面図である。
【図１９】本発明のコアステーションのもう１つの実施形態における概略立面図である。
【図２０】本発明のトップシートステーションの１つの実施形態における概略立面図である。
【図２１】本発明のトップシートステーションのもう１つの実施形態における概略立面図である。
【図２２】本発明のトップシートステーションのもう１つの実施形態における概略立面図である。
【図２３】本発明のトップシートステーションのもう１つの実施形態における概略立面図である。
【図２４】本発明のトップシートステーションのもう１つの実施形態における概略立面図である。
【図２５】本発明のレッグカフステーションの１つの実施形態における概略立面図である。
【図２６】本発明のレッグカフステーションのもう１つの実施形態における概略立面図である。
【図２７】本発明のレッグカフステーションのもう１つの実施形態における概略立面図である。
【国際公開パンフレット】
2005504895.tif 000003
2005504895.tif 000004
2005504895.tif 000005
2005504895.tif 000006
2005504895.tif 000007
2005504895.tif 000008
2005504895.tif 000009
2005504895.tif 000010
2005504895.tif 000011
2005504895.tif 000012
2005504895.tif 000013
2005504895.tif 000014
2005504895.tif 000015
2005504895.tif 000016
2005504895.tif 000017
2005504895.tif 000018
2005504895.tif 000019
2005504895.tif 000020
2005504895.tif 000021
2005504895.tif 000022
2005504895.tif 000023
2005504895.tif 000024
2005504895.tif 000025
2005504895.tif 000026
2005504895.tif 000027
2005504895.tif 000028
2005504895.tif 000029
2005504895.tif 000030
2005504895.tif 000031
2005504895.tif 000032
2005504895.tif 000033
2005504895.tif 000034
2005504895.tif 000035
2005504895.tif 000036
2005504895.tif 000037
2005504895.tif 000038
2005504895.tif 000039
2005504895.tif 000040
2005504895.tif 000041
2005504895.tif 000042
2005504895.tif 000043
2005504895.tif 000044
2005504895.tif 000045
2005504895.tif 000046
2005504895.tif 000047
2005504895.tif 000048
2005504895.tif 000049
【国際調査報告】
2005504895.tif 000050
2005504895.tif 000051
2005504895.tif 000052